(57)【要約】      （修正有）【課題】ふくらはぎや太もも等の太さの異なる脚部を効率よく、且つ確実にマッサージするとともに、太ももに溜まった脂肪と老廃物の塊を確実に破壊することができるマッサージ器を提供する。【解決手段】外周が凹凸に形成された一対のマッサージ部１０，１１と、該マッサージ部１０，１１の中心を通りマッサージ部１０，１１を回転自在に支持する第一軸体１２及び第二軸体１３と、第一軸体１２及び第二軸体１３の両端を保持する一対の把手部２０とを備えるマッサージ器であって、前記マッサージ部の第一軸体１２は把手部２０内に保持固定されており、第二軸体１３は把手部２０内を長手方向に摺動自在に保持されていることを特徴とする。また前記把手部２０に、第二軸体１３が長手方向に摺動する長孔２３を穿設し、把手部２０内に第二軸体１３をバネの付勢により摺動される伸縮部材を収容した。さらに前記把手部２０に、伸縮部材の伸縮強度を変更する調節部を設置した。【選択図】図１
0003183903.tif 000002
【実用新案登録請求の範囲】
【請求項１】
外周が凹凸状に形成された一対のマッサージ部と、該マッサージ部の中心を通りマッサージ部を回転自在に支持する第一軸体及び第二軸体と、第一軸体及び第二軸体の両端を保持する一対の把手部とを備えるマッサージ器であって、前記マッサージ部の第一軸体は把手部内に保持固定されており、第二軸体は把手部内を長手方向に摺動自在に保持されていることを特徴とするマッサージ器。
【請求項２】
前記把手部に、第二軸体が長手方向に摺動する長孔を穿設した請求項１記載のマッサージ器。
【請求項３】
前記把手部内に、前記第二軸体をバネの付勢により摺動される伸縮部材を収容した請求項１または２記載のマッサージ器。
【請求項４】
前記把手部に、前記伸縮部材の伸縮強度を変更する調節部を設置した請求項３記載のマッサージ器。
【考案の詳細な説明】
【技術分野】
【０００１】
本考案は、凹凸部により身体をマッサージするマッサージ器であって、特に、脚部の太ももに溜まった脂肪や老廃物の塊である、所謂セルライトを効率よく破壊することができるマッサージ器に関する。
【背景技術】
【０００２】
従来より、肩こりや腰痛、また運動前後の筋肉を和らげる治療具としてマッサージ器がある。一般的なマッサージ器は、電気的な振動を利用した電動式のものや、手で突起部を患部に押圧する手動式のマッサージ器がある。
【０００３】
電動式のマッサージ器は電源を必要とし、高価で重量も嵩むという問題があった。一方、手動式のマッサージ器は低価格で操作性が手軽であるが、身体の各部の形状に沿ったきめ細やかなマッサージをすることが難しかった。
【０００４】
上記の問題を解消するために、特許文献１では、１つの器具でもって身体の様々な箇所のマッサージができる健康器具が開示されている。
【０００５】
上掲特許文献１に記載された健康器具は、複数個の径の異なるローラー部材を軸部材に回転自在に取り付け、前記軸部材の両端部に握り部を形成しており、前記ローラー部材が前記軸部材に対して着脱自在であることを特徴とする。
【先行技術文献】
【特許文献】
【０００６】
【特許文献１】特開平５−２９３１４４号公報（特許請求の範囲等）
【考案の概要】
【考案が解決しようとする課題】
【０００７】
しかしながら、上掲の特許文献に記載された健康器具は、棒状の軸部材に径の異なるローラー部材が回転自在に取り付けられた構造なので、顔や背中の一面をマッサージすることには適しているが、脚部の太ももやふくらはぎ、また腕部の上腕や前腕においては、その周囲を往復させて何度もマッサージする必要があった。また特に、脚部の太ももに溜まった脂肪と老廃物の塊を破壊するまでには至らなかった。
【０００８】
そこで本考案の目的は、上記課題を解消するために、ふくらはぎや太もも等の太さの異なる脚部を効率よく、且つ確実にマッサージするとともに、太ももに溜まった脂肪と老廃物の塊を確実に破壊することができるマッサージ器を提供することにある。
【課題を解決するための手段】
【０００９】
上記課題を解決するために、本考案のマッサージ器は、外周が凹凸に形成された一対のマッサージ部と、該マッサージ部の中心を通りマッサージ部を回転自在に支持する第一軸体及び第二軸体と、第一軸体及び第二軸体の両端を保持する一対の把手部とを備えるマッサージ器であって、前記マッサージ部の第一軸体は把手部内に保持固定されており、第二軸体は把手部内を長手方向に摺動自在に保持されていることを特徴とする。
【００１０】
また、本考案のマッサージ器の好適な態様においては、前記把手部に、第二軸体が長手方向に摺動する長孔を穿設した。
【００１１】
また、本考案のマッサージ器の好適な態様においては、前記把手部内に、前記第二軸体をバネの付勢により摺動される伸縮部材を収容した。
【００１２】
さらに、本考案のマッサージ器の好適な態様においては、前記把手部に、伸縮部材の伸縮強度を変更する調節部を設置した。
【考案の効果】
【００１３】
本考案によれば、外周が凹凸に形成された一対のマッサージ部と、該マッサージ部の中心を通りマッサージ部を回転自在に支持する軸体と、軸体の両端を保持固定する一対の把手部とからなり、前記マッサージ部の第一軸体は把手部内に保持固定されており、第二軸体は把手部内を長手方向に摺動自在に保持されていることにより、マッサージ器を膝から太ももの付け根にかけて上下動させることで、一対のマッサージ部にてニ側面からマッサージすることができ、太ももに溜まった脂肪と老廃物の塊を確実に破壊することができる。
【００１４】
また、把手部内の伸縮部材の伸縮強度を操作することで、マッサージ部の押圧強度を自在に調整することができ、マッサージ効果をより高めることができる。
【図面の簡単な説明】
【００１５】
【図１】本考案の第一実施形態におけるマッサージ器の全体斜視図である。
【図２】前記マッサージ器における把手部の断面図である。
【図３】図２に示す把手部の他側面の断面図である。
【図４】太ももの小径部分をマッサージする使用状態を示す説明図である。
【図５】太ももの大径部分をマッサージする使用状態を示す説明図である。
【考案を実施するための形態】
【００１６】
本考案のマッサージ器は、ふくらはぎや太もも等の太さの異なる脚部を効率よく、且つ確実にマッサージするとともに、太ももに溜まった脂肪と老廃物の塊を確実に破壊することを特徴とする。
以下、本考案の一実施の形態に係るマッサージ器を図面に基づいて説明する。
【００１７】
図１に示すマッサージ器１は、外周が凹凸に形成された一対のマッサージ部１０，１１と、該マッサージ部１０，１１の中心を通りマッサージ部１０，１１を回転自在に支持する第一軸体及び第二軸体としての軸体１２，１３と、軸体１２，１３の両端を保持する一対の把手部２０とを備える。
【００１８】
マッサージ部１０，１１は、球体が複数連結された状態で形成されており、木製やプラスチック、また金属や石材等で形成することができる。なかでも木製であることは、マッサージ時の触感がよく、適度な硬さを有するために好ましい。このマッサージ部１０，１１は、外周が凹凸に形成されているため、使用の際は軸体１２，１３の周りを回転しながら凸部にて部分的に身体を押圧する。これにより、特に脚部の太ももに使用した場合、太もも内に溜まった脂肪や老廃物である所謂セルライトを破壊することができる。なお、マッサージ部は、球体が複数連結された形状を有しているが、球体が分離して個々に軸体１２，１３の周りを回転するものではない。マッサージ部１０，１１全体が一体的に軸体１２，１３の周りを回転する。これにより程良いマッサージ効果を全体的に与え、また、球体が分離している場合に懸念される、球体間の隙間に異物が挟まることを回避することができる。
【００１９】
また前記マッサージ部１０，１１の長手方向沿って、その中心には、マッサージ部１０，１１を回転自在に支持する軸体１２，１３が貫通されている。また、前記軸体１２，１３の両端は、一対の把手部２０により保持されている。
【００２０】
把手部２０は、マッサージ操作の際に好適な状態で把持できる大きさに形成されている。また前記把手部２０は、図２および図３に示すように、樹脂製又は金属製の筒状体２１と、筒状体２１の周囲に被覆されている、ウレタンフォームやスポンジ等の緩衝部材２２とを備えている。また筒状体２１の内部には、軸体１２，１３を保持固定する保持部材３０が配設されている。
【００２１】
保持部材３０は、筒状体２１の長手方向に沿って、その中央部分に配置されている長尺状のボルト３１と、ボルト３１の先方に配置されたナット３２と、かかるナット３２に一方の端部が溶接等により連結固定された、つるまきバネ等からなる伸縮部材３３とで構成されている。
【００２２】
また保持部材３０内で、前記ボルト３１の軸部の上側には、前記マッサージ部１０を回転自在に支持する軸体１２の端部が、保持部材３０に設けられた固定孔を通して当該ボルト３１を貫通させて設けられている。またボルト３１の先端部は、前記ナット３２を介して伸縮部材３３側に延びている。
【００２３】
前記伸縮部材３３の他方の先端には、フック３４が形成されていて、このフック３４より伸縮部材３３がボルト３５に係止されている。このボルト３５は、前記マッサージ部１１を回転自在に支持する軸体１３の端部にねじ結合されている。
【００２４】
また特に、前記把手部２０の下方には、軸体１３を保持部材３０の長手方向に摺動可能とする長孔２３が穿設されている。長孔２３を穿設することで、マッサージ部１１が伸縮部材３３の付勢に伴って長孔２３内を摺動することができる。そのため、例えば太ももａをマッサージ部１０，１１の間に通し、膝から付け根に沿って把手部２０を引き上げた場合、図５に示すように、太ももａの径の変化に追随して、マッサージ部１１が、伸縮部材３３による付勢力を太ももａに加えつつ、マッサージ部１０との間隔を広げる方向に移動し、安全に、且つ確実に効率よいマッサージ（セルライトの破壊）を行うことができる。
【００２５】
また他の好適例として、前記把手部２０に、前記伸縮部材３３の伸縮強度を変更する調節部３６を設置した。調節部３６は、前記ボルト３１の基端部に設置されており、調節部３６を右回転又は左回転させることでボルト３１が回転し、このボルトにねじ結合したナット３２を介して伸縮部材３３が伸縮する。そのことにより、伸縮部材３３の初期時の付勢力が調整され、長孔２３間を移動するマッサージ部１１の摺動時の付勢力の強度を変更させることができる。
【００２６】
上述の構成により、本考案のマッサージ器によれば、ふくらはぎや太もも等の太さの異なる脚部を効率よく、且つ確実にマッサージするとともに、太ももに溜まった脂肪と老廃物の塊を確実に破壊することができる。また、伸縮部材の伸縮強度を操作することで、マッサージ部の押圧強度を自在に調整することができ、マッサージ（セルライトの破壊）の効果をより高めることができる。
【符号の説明】
【００２７】
１    マッサージ器
１０  マッサージ部
１１  マッサージ部  
１２  軸体（第一軸体）
１３  軸体（第二軸体）
２０  把手部
２１  筒状体
２２  緩衝部材
２３  長孔
３０  保持部材
３１  ボルト
３２  ナット
３３  伸縮部材
３４  フック
３５  ボルト
ａ    太もも
【図１】
0003183903.tif 000003
【図２】
0003183903.tif 000004
【図３】
0003183903.tif 000005
【図４】
0003183903.tif 000006
【図５】
0003183903.tif 000007